(57)【特許請求の範囲】
【請求項１】
第１電線が引き出される第１ハウジングと、
前記第１ハウジングと並んで配置され、第２電線が引き出される第２ハウジングと、
前記第１ハウジングに取り付けられ、前記第１、第２ハウジングから引き出された前記第１、第２電線を、前記第１、第２ハウジングの並び方向に関して前記第２ハウジングから前記第１ハウジングに向かう側へと屈曲させた状態で収容可能な電線カバーとを備え、
前記電線カバーは、前記第１電線を収容可能な第１収容室と、前記第２電線を収容可能な第２収容室と、前記第１収容室と前記第２収容室とを隔てる隔壁とを有し、
前記電線カバーは、ロアカバー及びアッパーカバーによって構成され、
前記ロアカバーは、対向する一対の側板部と、両側板部を連結する前記隔壁とを有し、前記両側板部の前端部が前記第１ハウジングの後面に当接した状態で、前記第１ハウジングの後方に配置されて前記第１収容室を区画し、
前記アッパーカバーは、前記両側板部の後端部に当接した状態で、前記ロアカバーに積み重なるように配置されて前記第２収容室を区画することを特徴とするコネクタ。
【請求項２】
前記隔壁は、前記第１、第２ハウジングの並び方向に前記第１電線を屈曲して沿わせることが可能となっていることを特徴とする請求項１記載のコネクタ。
【請求項３】
前記第２ハウジングには、前記電線カバーとは別体の被覆カバーが取り付けられ、前記被覆カバーは、前記第２ハウジングから引き出された前記第２電線の延出基端部を収容可能な基端部収容室を有していることを特徴とする請求項１又は２記載のコネクタ。
【請求項４】
前記第２収容室は、前記第１、第２ハウジングの並び方向と直交する方向に関して前記第１ハウジングに対し前記第１収容室よりも離れた位置に配置され、前記基端部収容室は、前記第１収容室側から前記第２収容室に臨む位置までに亘って配置されていることを特徴とする請求項３記載のコネクタ。
【請求項５】
前記アッパーカバーには、前記第２収容室内を覗くことが可能な窓部が開設されていることを特徴とする請求項１ないし４のいずれか１項記載のコネクタ。
【発明の詳細な説明】
【技術分野】
【０００１】
本発明は、コネクタに関する。
【背景技術】
【０００２】
特許文献１には、カバーと一体に形成されたフレームと、フレームに取り付けられ、互いに並んで配置される２つのコネクタとを備えている。両コネクタからはそれぞれ電線が引き出され、引き出された各電線がカバー内に屈曲した状態で一括して収容されるようになっている。
【先行技術文献】
【特許文献】
【０００３】
【特許文献１】特開平８−５０９５２号公報
【発明の概要】
【発明が解決しようとする課題】
【０００４】
ところで、例えば、車載通信システムの通信線等に用いられるシールド電線の場合、電磁波によるノイズの影響を除去するために外周をシールド層で被覆した形態になっている。しかし、シールド層は電線の先端部にまで設けられていないため、該電線が上記コネクタに適用されると、カバー内で両コネクタから引き出された各電線の非シールド部分（シールド層で被覆されない部分）が混在して互いに接触することがあり、カバー内に収容される各電線の回路間で電磁波の相互干渉が発生するおそれがある。
【０００５】
本発明は上記のような事情に基づいて完成されたものであって、電線カバー内に収容される各電線の回路間での電磁波の相互干渉が発生するのを防止することを目的とする。
【課題を解決するための手段】
【０００６】
本発明のコネクタは、第１電線が引き出される第１ハウジングと、前記第１ハウジングと並んで配置され、第２電線が引き出される第２ハウジングと、前記第１ハウジングに取り付けられ、前記第１、第２ハウジングから引き出された前記第１、第２電線を、前記第１、第２ハウジングの並び方向に関して前記第２ハウジングから前記第１ハウジングに向かう側へと屈曲させた状態で収容可能な電線カバーとを備え、前記電線カバーは、前記第１電線を収容可能な第１収容室と、前記第２電線を収容可能な第２収容室と、前記第１収容室と前記第２収容室とを隔てる隔壁とを有し、前記電線カバーは、ロアカバー及びアッパーカバーによって構成され、前記ロアカバーは、対向する一対の側板部と、両側板部を連結する前記隔壁とを有し、前記両側板部の前端部が前記第１ハウジングの後面に当接した状態で、前記第１ハウジングの後方に配置されて前記第１収容室を区画し、前記アッパーカバーは、前記両側板部の後端部に当接した状態で、前記ロアカバーに積み重なるように配置されて前記第２収容室を区画するところに特徴を有する。
【発明の効果】
【０００７】
第１、第２ハウジングから引き出された第１、第２電線が第１、第２ハウジングの並び方向に関して第２ハウジングから第１ハウジングと向かう側へと屈曲させられた状態で電線カバー内に収容される場合、電線カバー内で第１、第２電線の回路間の電磁波干渉が発生するおそれがある。しかるに上記構成によれば、電線カバーが第１収容室（第１電線を収容可能な部屋）と第２収容室（第２電線を収容可能な部屋）とを隔てる隔壁を有しているため、第１、第２電線からの電磁波の相互干渉を防止することができる。また、第１ハウジングにロアカバーを取り付けることで第１収容室に第１電線を収容させ、ロアカバーに積み重なるようにアッパーカバーを配置することで第２収容室に第２電線を収容させることができるため、第１、第２収容室にそれぞれ第１、第２電線を収容させる作業を順序良く円滑に行うことができる。また、このように隔壁がロアカバーの背板で構成されるものであれば、隔壁として特別な構造を新設する必要もない。
【図面の簡単な説明】
【０００８】
【図１】本発明の実施例に係るコネクタの平面図である。
【図２】図１のＡ−Ａ線断面図である。
【図３】コネクタの背面図である。
【図４】相手コネクタと正対して配置された第１、第２ハウジングの斜視図である。
【図５】第１ハウジングにロアカバーが取り付けられ、第１収容室が区画された状態を示す断面図である。
【図６】さらに、第２ハウジングに被覆カバーが取り付けられ、基端部収容室が区画された状態を示す断面図である。
【図７】さらに、ロアカバーにアッパーカバーが取り付けられ、第２収容室が区画された状態を示す断面図である。
【図８】ロアカバーの斜視図である。
【図９】被覆カバーの斜視図である。
【図１０】アッパーカバーの斜視図である。
【発明を実施するための形態】
【０００９】
本発明の好ましい実施形態を以下に示す。
前記隔壁は、前記第１、第２ハウジングの並び方向に前記第１電線を屈曲して沿わせることが可能となっている。これによれば、隔壁によって第１電線の配索方向を規定することができる。また、コネクタが第１、第２ハウジングの並び方向と直交する方向に高背になるのを抑えることができる。
【００１０】
前記第２ハウジングには、前記電線カバーとは別体の被覆カバーが取り付けられ、前記被覆カバーは、前記第２ハウジングから引き出された前記第２電線の延出基端部を収容可能な基端部収容室を有している。これによれば、第２電線の延出基端部も被覆カバーによって保護される。また、電線カバーと被覆カバーとが互いに別体であるため、仮に、第１、第２ハウジングの相対位置が変動しても、電線カバーが第１ハウジングに取り付けられ、被覆カバーが第２ハウジングに取り付けられることにより、第１、第２電線を第１、第２収容室に支障なく収容させることができる。
【００１１】
前記第２収容室は、前記第１、第２ハウジングの並び方向と直交する方向に関して前記第１ハウジングに対し前記第１収容室よりも離れた位置に配置され、前記基端部収容室は、前記第１収容室側から前記第２収容室に臨む位置までに亘って配置されている。基端部収容室が第１収容室側から第２収容室に臨む位置までに亘って配置されているため、第２電線の延出基端部の曲げアール（曲げ半径、屈曲半径）を大きくとることができ、第２電線への過大なストレスを低減することができる。その結果、第２電線が太物電線の場合にも対応可能となる。
【００１３】
前記アッパーカバーには、前記第２収容室内を覗くことが可能な窓部が開設されている。窓部から第２収容室内を覗き見ることにより、第２電線が適正に収容されているのかどうかを確認することができる。この場合、例えば、第１、第２電線を色分けしておくことにより、第２電線が誤って第１収容室に収容される事態を回避することができる。
【００１４】
＜実施例＞
本発明の実施例を図面に基づいて説明する。本実施例に係るコネクタは、第１、第２ハウジング１０、１１と、第１ハウジング１０に取り付けられる電線カバー１２と、第２ハウジング１１に取り付けられる電線カバー１２とは別体の被覆カバー１３とを備えている。第１、第２ハウジング１０、１１は、それぞれ幅方向に並んで配置され、相手コネクタ１４に嵌合可能とされている。なお、以下の説明において、前後方向については、両コネクタが嵌合開始時に互いに向き合う面側を前側とする。また、各図には、前後、上下及び左右の各方向を表示してある。
【００１５】
図４に示すように、相手コネクタ１４は、左右（幅方向）に並んで配置され、前方に開口する一対の筒状のフード部１５と、両フード部１５の後端同士を連結して左右に延出する板状の連結部１６とを有している。フード部１５及び連結部１６は、いずれも合成樹脂製であって互いに一体に構成されている。フード部１５の左右両側面（幅方向両側壁の外面）には、一対の略円柱状のカムフォロア１７が突出して設けられている。
【００１６】
両フード部１５内には、それぞれ複数のピン状の雄端子金具１８が突出して配置されている。そして、両フード部１５内には、それぞれ第１、第２ハウジング１０、１１が嵌合され、正規嵌合されるに伴い、第１、第２ハウジング１０、１１に収容された図示しない雌端子金具が雄端子金具１８と電気的に接続されるようになっている。また、相手コネクタ１４は、車両に搭載された図示しないＥＣＵ（電子制御ユニット）の回路基板に実装され、実装された状態で、各雄端子金具１８が回路基板と電気的に接続されるようになっている。
【００１７】
第１、第２ハウジング１０、１１は合成樹脂製であって、図４に示すように、互いに同一の構造を有している。このため、以下では、第１ハウジング１０の構造のみを説明し、第２ハウジング１１については呼称上の相違点のみを説明する。なお、本実施例においては、第１、第２ハウジング１０、１１に対しさらに別のハウジングが幅方向（左右方向）に並んで配置され、全体として３つ以上のハウジングが並設されることもある。その場合は、幅方向で互いに隣接する任意の２つのハウジングを、第１、第２ハウジング１０、１１とすることができる。
【００１８】
図４に示すように、第１ハウジング１０は、略角ブロック状をなし、前後方向に貫通する複数のキャビティ１９を有している。各キャビティ１９には、図示しない雌端子金具が挿入されて収容されている。雌端子金具は、第１電線２０（図１〜図３等を参照）の端末部に接続されている。第１電線２０はシールド電線であって、第１ハウジング１０の後面（電線引出面）から引き出される。第１電線２０のうち、第１ハウジング１０の後面から引き出されたあとの所定範囲は、外周にシールド層が設けられない図示しない非シールド層とされている。第１電線２０の非シールド層は、電線カバー１２に覆われて収容されるようになっている。
【００１９】
第２ハウジング１１に収容される雌端子金具には、第１電線２０とは別回路を構成する第２電線２１が接続されている。第２電線２１の非シールド層は、被覆カバー１３及び電線カバー１２に覆われて収容されるようになっている。そして、第２電線２１には、第１電線２０とは異なる配色が施されている。
【００２０】
第１ハウジング１０の左右両側面には、一対の略円柱状の支軸２２（図２及び図４を参照）が突出して設けられている。両支軸２２には、レバー２３が回動可能に支持されている。レバー２３は合成樹脂製であって、図３に示すように、全体として門型板状をなし、幅方向に沿った操作部２４と、操作部２４の両端から互いに略平行に突出する一対のカム部２５とを有している。レバー２３は第１ハウジング１０に跨るようにして装着される。両カム部２５には、図２及び図４に示すように、支軸２２を受ける軸受孔２６が設けられている。
【００２１】
また、図５に示すように、両カム部２５の内面には、カム溝２７が設けられている。カム溝２７の入り口が前方を向いた状態で、第１ハウジング１０が相手コネクタ１４のフード部１５に浅く嵌合されると、カム溝２７の入り口に相手コネクタ１４のカムフォロア１７が進入する。その状態で、操作部２４を摘まみながらレバー２３の回動操作を行うと、カム溝２７の溝面をカムフォロア１７が摺動して、レバー２３と相手コネクタ１４との間にカム作用がはたらき、第１ハウジング１０が相手コネクタ１４と低嵌合力で嵌合されて行く。そして、カム溝２７の奥端部にカムフォロア１７が到達すると、第１ハウジング１０が相手コネクタ１４と正規嵌合された状態となる。
【００２２】
図１、図３及び図４に示すように、レバー２３の操作部２４には、幅方向略中央部に、レバーロック部２８が設けられている。そして、第１ハウジング１０の下面には、レバーロック受部２９が突設されている。第１ハウジング１０が相手コネクタ１４と正規嵌合されると、レバーロック部２８がレバーロック受部２９に弾性的に係止され、これによって第１ハウジング１０が相手コネクタ１４に離脱規制された状態で保持されるようになっている。
【００２３】
図３及び図４に示すように、第１ハウジング１０の上面及び下面の左右両端部には、一対ずつのカバーロック受部３０が突設されている。カバーロック受部３０は、後方へスリット状に開口する扁平筒状をなし、図１及び図２に示すように、上下方向に撓み変形可能な弾性係止片３１を有している。カバーロック受部３０内には、後述するロアカバー３２及び被覆カバー１３にそれぞれ設けられたカバーロック部３３が挿入可能とされ、且つ挿入されたカバーロック部３３が弾性係止片３１によって弾性的に係止可能とされている。
【００２４】
続いて、電線カバー１２について説明する。電線カバー１２は合成樹脂製であって、ロアカバー３２と、ロアカバー３２とは別体であって、ロアカバー３２の後方に積み重なるように配置されるアッパーカバー３４とによって構成されている。
【００２５】
図８に示すように、ロアカバー３２は、上下方向で対向して互いに略平行に配置される上下夫々の側板部３５、３６と、両側板部３５、３６間に位置して両側板部３５、３６の内面に一体に連結される連結板部３９とを有している。さらに、図５〜図７に示すように、連結板部３９は、両側板部３５、３６の内面の前後方向中間部に連結されて幅方向に沿った背板部４０と、両側板部３５、３６の内面の右端側（幅方向一端側）の前部に連結されて前後方向に沿った端板部４１と、背板部４０の右端と端板部４１の後端との間をつなぐ断面四半円弧状の曲面部４２とによって構成されている。なお、図７に示すように、連結板部３９は、ロアカバー３２内の後述する第１収容室４３を、アッパーカバー３４内の後述する第２収容室４４と被覆カバー１３の後述する基端部収容室４５とから隔てる隔壁として構成されている。
【００２６】
図８に示すように、下側の側板部３５には、前後方向に関して背板部４０を挟んだ前後両側のうちの前側に、幅方向に沿った前側板部３７が設けられ、後側に、前側板部３７よりも大きな幅寸法を有して左右両側に拡張された後側板部３８が設けられている。前側板部３７の右端（幅方向一端）は、幅方向に関して端板部４１の端面とほぼ同一位置に配置されている。一方、上側の側板部３６は、前後方向の略全長に亘ってほぼ一定の幅寸法をもった平板状の側板本体部４６を有している。
【００２７】
図３及び図８に示すように、上側の側板部３６及び前側板部３７には、前側の左右両端部（幅方向両端部）に、一対ずつのカバーロック部３３が設けられている。各カバーロック部３３は、板片状をなし、前側板部３７の下面前部からいったん下方へ張り出したあと前方へ突出する一対の下側カバーロック部４７（図８を参照）と、側板本体部４６の上面前部からいったん上方へ張り出したあと前方へ突出する一対の上側カバーロック部４８（図３を参照）とからなる。下側カバーロック部４７の下方への張り出し量は、上側カバーロック部４８の上方への張り出し量よりも大きくされている。また、両側板部３５、３６のうち、幅方向で隣接するカバーロック部３３間には、前方へ向けて次第に肉厚となるように拡開するスカート部４９が設けられている。
【００２８】
図２及び図８に示すように、カバーロック部３３の先端部（前方へ突出する部分）には、ロック孔５０が貫通して設けられている。カバーロック部３３の先端部が対応するカバーロック受部３０内に挿入されると、弾性係止片３１のロック突起５１がロック孔５０に弾性的に嵌り込み、もってカバーロック部３３とカバーロック受部３０との間でロックがかかるようになっている。
【００２９】
図２に示すように、各カバーロック部３３と各カバーロック受部３０との間でロックがかかると、第１ハウジング１０の後面がロアカバー３２によって覆われ、第１ハウジング１０の後面と連結板部３９との間に、第１収容室４３が区画される。図５に示すように、第１収容室４３には、第１ハウジング１０の後面から引き出された第１電線２０が覆われるようにして収容される。第１収容室４３に収容された各第１電線２０は、背板部４０によって左側（幅方向他側であって、第１、第２ハウジング１０、１１の並び方向に関して第２ハウジング１１から第１ハウジング１０に向かう側（図５のＡ方向））へ強制的に屈曲させられた状態で背板部４０に沿って配置されるようになっている。
【００３０】
図８に示すように、側板本体部４６及び後側板部３８には、後側の左右両端部に、一対ずつのロアロック部５２が設けられている。各ロアロック部５２は、側板本体部４６の上面及び後側板部３８の下面に突設され、前後方向に貫通する係止孔５３を有している。図２に示すように、ロアロック部５２の係止孔５３には、アッパーカバー３４の後述するアッパーロック部５４が挿入されて係止されるようになっている。なお、側板本体部４６のロアロック部５２と後側板部３８のロアロック部５２とは、連結板部３９の上下方向中央の軸線を挟んで対称に配置されている。また、下側カバーロック部４７と上側カバーロック部４８とは、連結板部３９の上下方向中央から下側へ寄った軸線を挟んで対称に配置されている（図３を参照）。
【００３１】
図１０に示すように、アッパーカバー３４は、幅方向に沿った板状のアッパーカバー本体５５を有している。アッパーカバー本体５５は、上下両端部を幅方向の全長に亘って前方へ屈曲させた形態とされ、断面略門型をなしている。アッパーカバー本体５５には、幅方向及び上下方向の中央部に、略矩形の窓部５６が開口して設けられている。
【００３２】
図３及び図１０に示すように、アッパーカバー本体５５の上下両端部には、前側の左右両端部に、一対ずつのアッパーロック部５４が設けられている。各アッパーロック部５４は、アッパーカバー本体５５の前側の上下両面（外側面）に連結され、その連結部分から前方へ突出する板片状をなしている。アッパーロック部５４の前端部の上下両面（外側面）には、爪状の係止突起５７が設けられている。
【００３３】
図２に示すように、アッパーロック部５４が対応するロアロック部５２の係止孔５３に挿入されると、係止突起５７がロアロック部５２の後縁に弾性的に係止され、もってアッパーロック部５４とロアロック部５２との間でロックがかかるようになっている。
【００３４】
図２に示すように、各アッパーロック部５４と各ロアロック部５２との間でロックがかかると、ロアカバー３２の背板部４０の後面がアッパーカバー本体５５によって覆われ、背板部４０とアッパーカバー本体５５との間に、第２収容室４４が区画される。図７に示すように、第２収容室４４には、被覆カバー１３の後述する基端部収容室４５から延出する各第２電線２１の延出部分が覆われるようにして収容される。この場合、第２収容室４４に収容された各第２電線２１は、第１電線２０と同様に、背板部４０に沿うようにして左側へ延出して配置されるようになっている。そして、第２収容室４４に収容された第２電線２１は、窓部５６を通してその状態を目視により確認することが可能となっている。
【００３５】
被覆カバー１３は合成樹脂製であって、図９に示すように、前方及び左側（取り付け時に電線カバー１２の位置する側）に開放された半割腕状の被覆カバー本体５８を有している。図７に示すように、被覆カバー１３の前後寸法は、電線カバー１２（ロアカバー３２及びアッパーカバー３４）の前後寸法とほぼ同一とされている。被覆カバー本体５８は、前端から後端にかけて左側へ次第に寄るように傾斜する閉止板部５９を有している。
【００３６】
被覆カバー本体５８の上下両端部には、前側の左右両端部に、一対ずつのカバーロック部３３が設けられている。各カバーロック部３３は、電線カバー１２の各カバーロック部３３と同様の形態であって、上側カバーロック部４８と上側カバーロック部４８よりも張り出し量が大きい下側カバーロック部４７とからなり、隣接するカバーロック部３３間にはスカート部４９が設けられ、先端部に、ロック孔５０が貫通して設けられている。
【００３７】
各カバーロック部３３が各カバーロック受部３０に係止されることにより、図６及び図７に示すように、第２ハウジング１１の後面が被覆カバー本体５８によって覆われ、第２ハウジング１１の後面と被覆カバー本体５８の閉止板部５９との間に、基端部収容室４５が区画される。被覆カバー１３が第２ハウジング１１に取り付けられるとともに、電線カバー１２が第１ハウジング１０に取り付けられ、電線カバー１２と被覆カバー１３とが幅方向に並んだ状態では、基端部収容室４５が、前後方向に関して第１収容室４３から第２収容室４４に亘る範囲に形成され、第２収容室４４と若干の隙間を介して、第２収容室４４と連通して配置される。そして、基端部収容室４５には、第２ハウジング１１の後面から引き出された第２電線２１が覆われるようにして収容される。具体的には、基端部収容室４５には、第２電線２１のうち、第２ハウジング１１の後面から第２収容室４４にかけて左側へ向けて緩く湾曲する延出基端部６０が収容されるようになっている。
【００３８】
次に、電線カバー１２及び被覆カバー１３の取り付け手順及び作用について説明する。
電線カバー１２及び被覆カバー１３の取り付けに先立ち、第１、第２ハウジング１０、１１が相手コネクタ１４のフード部１５に正規嵌合される。これにより、第１、第２ハウジング１０、１１が若干の隙間をあけて幅方向に互いに並んで配置されている。
【００３９】
図５に示すように、幅方向に並んで配置された第１、第２ハウジング１０、１１のうち、左側に位置する第１ハウジング１０に対し、後方からロアカバー３２が被せ付けられる。ロアカバー３２の各カバーロック部３３のうち、上側カバーロック部４８が第１ハウジング１０の上側のカバーロック受部３０に弾性的に係止され、且つ、下側カバーロック部４７が第１ハウジング１０の下側のカバーロック受部３０に弾性的に係止されることにより、スカート部４９の前端が第１ハウジング１０の後面に当接した状態で（図１及び図３を参照）、第１ハウジング１０にロアカバー３２が保持される。そして、第１ハウジング１０にロアカバー３２が取り付けられることにより、第１ハウジング１０の後面から引き出された第１電線２０が、ロアカバー３２の背板部４０によって強制的に屈曲させられ、背板部４０の前面に沿って左側（図５のＡ方向）へ向けて延出させられる。
【００４０】
続いて、図６に示すように、右側に位置する第２ハウジング１１に対し、後方から被覆カバー１３を被せ付けられる。被覆カバー１３の各カバーロック部３３のうち、上側カバーロック部４８が第２ハウジング１１の上側のカバーロック受部３０に弾性的に係止され、且つ、下側カバーロック部４７が第２ハウジング１１の下側のカバーロック受部３０に弾性的に係止されることにより、スカート部４９の前端が第２ハウジング１１の後面に当接した状態で（図１及び図３を参照）、第２ハウジング１１に被覆カバー１３が保持される。そして、第２ハウジング１１に被覆カバー１３が取り付けられることにより、第２ハウジング１１の後面から引き出された第２電線２１の延出基端部６０が基端部収容室４５に収容させられ、第２電線２１が基端部収容室４５の左側の開口を通して外部へ導出させられる。さらに、第２電線２１は、ロアカバー３２の背板部４０の後面に沿って左側へ配索させられる。
【００４１】
次いで、図７に示すように、ロアカバー３２に後方からアッパーカバー３４が被せ付けられる。アッパーカバー３４の各アッパーロック部５４がロアカバー３２の各ロアロック部５２に弾性的に係止されることにより、アッパーカバー本体５５の上下両端部の前端がロアカバー３２の両側板部の後端に当接した状態で（図２を参照）、ロアカバー３２にアッパーカバー３４が前後に積み重ねられた状態で保持される。そして、ロアカバー３２にアッパーカバー３４が取り付けられることにより、第２電線２１の延出部分がロアカバー３２とアッパーカバー３４との間に区画された第２収容室４４に収容される。第２電線２１は、さらに第２収容室４４の左側の開口を通して外部へ導出させられる。この場合に、電線カバー１２（ロアカバー３２及びアッパーカバー３４）の外面は、被覆カバー１３の外面との間に若干の隙間を挟んで面一状に配置される。
【００４２】
上記によって電線カバー１２及び被覆カバー１３がそれぞれ第１ハウジング１０及び第２ハウジング１１に取り付けられると、図２及び図７に示すように、第１電線２０と第２電線２１との間が連結板部３９によって仕切られた状態となる。電線カバー１２及び被覆カバー１３の内部において第１電線２０の非シールド層と第２電線２１の非シールド層とが互いに接触することがない。したがって、第１電線２０の回路と第２電線２１の回路との間で電磁波が干渉するのを防止することができる。
【００４３】
以上説明したように本実施例によれば、電線カバー１２が第１収容室４３と第２収容室４４とを隔てる連結板部３９を有しているため、第１電線２０及び第２電線２１からの電磁波の相互干渉を防止することができる。
【００４４】
また、連結板部３９の背板部４０によって第１電線２０が左側へ強制的に屈曲させられるため、第１電線２０の配索方向が背板部４０によって規定されるとともに、コネクタが前後方向に大型になるのが回避される。
【００４５】
また、電線カバー１２と被覆カバー１３とが互いに別体であるため、仮に、第１、第２ハウジング１０、１１の相対位置が前後方向又は幅方向に位置ずれしても、電線カバー１２が第１ハウジング１０に取り付けられ、それとは別に被覆カバー１３が第２ハウジング１１に取り付けられることにより、前記位置ずれを吸収することができる。
【００４６】
また、基端部収容室４５が第１収容室４３側から第２収容室４４に臨む位置までに亘って配置されているため、第２電線２１の延出基端部６０の曲げアール（曲げ半径）を大きくとることができ、第２電線２１への過大なストレスを低減することができる。その結果、例えば、第２電線２１が第１電線２０よりも電線径が大きい太物電線の場合でも対応可能となる。
【００４７】
また、電線カバー１２がロアカバー３２とロアカバー３２に積み重なるように配置されるアッパーカバー３４とからなるため、第１ハウジング１０にロアカバー３２を取り付けたあとロアカバー３２にアッパーカバー３４を取り付けることで、第１収容室４３に第１電線２０を収容させる作業と第２収容室４４に第２電線２１を収容させる作業とを順序良く円滑に行うことができる。
【００４８】
さらに、アッパーカバー３４には第２収容室４４内を覗くことが可能な窓部５６が開設されているため、窓部５６から第２収容室４４内を覗き見ることにより、第２電線２１が適正に収容されているのかどうかを確認することができる。この場合に、第１電線２０と第２電線２１とが色分けされて区別されているため、第２電線２１が誤って第１収容室４３に収容される事態を回避することができる。
【００４９】
＜他の実施例＞
上記実施例を、以下のようにすることも可能である。
（１）電線カバーと被覆カバーとが一体に構成されるようにしてもよい。
（２）被覆カバーを省略してもよい。
（３）アッパーカバーが、ヒンジを介してロアカバーに一体に連結されるものであってもよい。
（４）アッパーカバーの取り付けは、被覆カバーの取り付けよりも前に行われるものであってもよい。
（５）連結板部から端板部を省略してもよい。
（６）電線として、シールド電線ではない一般電線を用いることも可能である。
【符号の説明】
【００５０】
１０…第１ハウジング
１１…第２ハウジング
１２…電線カバー
１３…被覆カバー
２０…第１電線
２１…第２電線
３２…ロアカバー
３４…アッパーカバー
３９…連結板部（隔壁）
４０…背板部
４３…第１収容室
４４…第２収容室
４５…基端部収容室
５６…窓部
【図１】
0006315339.tif 000002
【図２】
0006315339.tif 000003
【図３】
0006315339.tif 000004
【図４】
0006315339.tif 000005
【図５】
0006315339.tif 000006
【図６】
0006315339.tif 000007
【図７】
0006315339.tif 000008
【図８】
0006315339.tif 000009
【図９】
0006315339.tif 000010
【図１０】
0006315339.tif 000011